(57)【要約】      （修正有）【課題】新規使用時におけるネ−ム板への文字表示およびネ−ム板交換時における新しいネ−ム板への文字表示が煩雑な手間を要することなく容易になされるとともに、筆記具の種類による文字表示の制限を解消することができる使用性に優れたネームホルダを提供する。【解決手段】ネームホルダ１は、ネ−ム板２を載置するベース部と、このベース部の前側に対応する窓部４を形成してベース部に一体に設けられた枠部５とを備える。そして、ベース部３と枠部５との一端側に設けた隙間６からベース部３と枠部５の間にストーンペーパーからなるネ−ム板２が挿入されて、その表面２ｂが窓部４に臨んでいる。これにより、窓部４を介して各種の筆記具によりネ−ム板２の表面２ｂに文字１２を表示することができる。【選択図】図１
0003151916.tif 000002
【実用新案登録請求の範囲】
【請求項１】
ネ−ム板を載置するベース部と、このベース部の前側に対応する窓部を形成して前記ベース部に一体に設けられた枠部とを備え、前記ベース部と枠部との一端側に設けた隙間からベース部と枠部の間に挿入されたネ−ム板の裏面が前記ベース部に載置され、かつ該ネ−ム板の表面が前記窓部に臨んでいることを特徴とするネ−ムホルダ。
【請求項２】
前記ネ−ム板は、耐水性に優れ、各種筆記具による文字の表示を許容するとともに、表示文字の消滅を抑制できる特性を有する紙片によって構成されている請求項１に記載したネームホルダ。
【請求項３】
前記ベース部と枠部との端部に、携行物やキーなどに連結する連結部材を取付けるための連結部材取付部が設けられている請求項１に記載したネームホルダ。
【考案の詳細な説明】
【技術分野】
【０００１】
本考案はネームホルダに係り、詳しくは、携行用バッグなどの持ち物やキーなどに装着することで、ネームホルダやキーホルダとして使用することができるネームホルダに関する。
【背景技術】
【０００２】
従来のネームホルダとして、たとえば図４および図５に示すものが知られている。
【０００３】
この種のネームホルダ５０は、合成樹脂によって略長方形に成形されており、ネ−ム板５１を載置するベース部５２と、このベース部５２の前側（図示例では上側）に対応する窓部５３を形成してベース部５２に一体成形された枠部５４とを備え、ベース部５２と枠部５４との一端側に設けた隙間５５からベース部５２と枠部５４の間に挿入されたネ−ム板５１の裏面がベース部５２に載置され、かつ該ネ−ム板５１の周縁部５１ａ以外の表面５１ｂを窓部５３の内側に配置した透明合成樹脂板からなる透視板５７の裏面側に位置させて、前記周縁部５１ａを前記隙間５５およびベース部５２と枠部５４の間に挟持するとともに、ベース部５２と枠部５４それぞれの長手方向の一端側に突設した突出部５８に連結部材５９を取付けた構造になっている。したがって、連結部材５９の先端部に携行用バッグなどの持物を装着することでネームホルダとして機能し、連結部材５９の先端部にキーを装着することでキーホルダとして機能する。
【先行技術文献】
【特許文献】
【０００４】
【特許文献１】特になし。
【考案の概要】
【考案が解決しようとする課題】
【０００５】
しかし、前記従来のネームホルダ５０では、ネ−ム板５１が耐水性に劣る一般的な紙片によって構成されているので、隙間５５や枠部５４の裏面と透視板５７表面の縁部との合わせ面の間から雨水などが侵入するとネ−ム板５１は容易に損傷劣化することになる。そのため、ネ−ム板５１の表面に表示されている文字５６の判読を困難にしたり、あるいは文字５６自体を消滅させて判読を不能にする等の不都合が短期間に発生する問題点を有している。
【０００６】
前述した雨水などの侵入によるネ−ム板５１の損傷劣化は、前記耐水性に劣る一般的な紙片によって構成されているネ−ム板５１の表面に樹脂のラミネート層を形成したり、あるいはネ−ム板５１を樹脂板で構成することによって回避することができる。ところが、表面に樹脂のラミネート層が形成されたネ−ム板５１や樹脂板で構成されたネ−ム板５１では、所定の文字を表示するための筆記具が油性マーカにのみ限定され、万年筆、ボールペンあるいは鉛筆やスャープペンシルなどの他の筆記具による所定の文字表示が制限されることになるので使用性に劣る。
【０００７】
一方、前記耐水性に劣る一般的な紙片によって構成されたネ−ム板５１を使用している前記従来のネームホルダ５０では、新規使用時にネ−ム板５１に文字５６を表示する場合には、まず、連結部材５９を突出部５８から取り外し、つぎに隙間５５から既存のネ−ム板５１を引出したのちに、このネ−ム板５１の表面に所定の文字５６を表示して隙間５５から挿入し、つぎに突出部５８に連結部材５９を取付ける煩雑な手間が要求される。
【０００８】
他方、雨水などの侵入によるネ−ム板５１の損傷劣化時に、損傷劣化したネ−ム板５１を同じ文字５６または異なる文字が表示されている新しいネ−ム板５１と交換する場合には、まず、連結部材５９を突出部５８から取り外し、つぎに隙間５５から既存のネ−ム板５１を引出して廃棄したのちに、新しいネ−ム板５１を用意してその表面に廃棄した古いネ−ム板５６の表面に表示されている文字５６または異なる文字を表示し、このネ−ム板５１を隙間５５から挿入し、ついで突出部５８に連結部材５９を取付ける煩雑な手間が要求される。
【０００９】
また、表面に樹脂のラミネート層が形成されたネ−ム板５１や樹脂板で構成されたネ−ム板５１であれば、雨水などの侵入によるネ−ム板５１の損傷劣化が抑制されるので、損傷劣化によるネ−ム板５１の交換を回避することができるものの、新規使用時にネ−ム板５１に文字を表示する場合には、まず、連結部材５９を突出部５８から取り外し、つぎに隙間５５から既存のネ−ム板５１を引出したのちに、このネ−ム板５１の表面に所定の文字５６を表示して隙間５５から挿入し、つぎに突出部５８に連結部材５９を取付ける煩雑な手間が要求される。さらに、既に使用に供されているネームホルダ５０において、ネ−ム板５１を異なる文字が表示されている新しいネ−ム板５１と交換する場合にも、まず、連結部材５９を突出部５８から取り外し、つぎに隙間５５から既存のネ−ム板５１を引出して廃棄したのちに、新しいネ−ム板５１を用意してその表面に所定の異なる文字を表示し、このネ−ム板５１を隙間５５から挿入し、ついで突出部５８に連結部材５９を取付ける煩雑な手間が要求される。
【００１０】
本考案は上記の実情に鑑みてなされたものであって、新規使用時におけるネ−ム板への文字表示およびネ−ム板交換時における新しいネ−ム板への文字表示が煩雑な手間を要することなく容易になされるとともに、筆記具の種類による文字表示の制限を解消することができる使用性に優れたネームホルダの提供を目的とするものである。
【課題を解決するための手段】
【００１１】
前記目的を達成するために、本考案に係るネームホルダは、ネ−ム板を載置するベース部と、このベース部の前側に対応する窓部を形成して前記ベース部に一体に設けられた枠部とを備え、前記ベース部と枠部との一端側に設けた隙間からベース部と枠部の間に挿入されたネ−ム板の裏面が前記ベース部に載置され、かつ該ネ−ム板の表面が前記窓部に臨んでいることを特徴としている。
【００１２】
これによれば、新規の使用に際しては、窓部を介してネ−ム板の表面に文字を表示することができる。また、雨水などによるネ−ム板の損傷劣化時には、新しいネームホルダを用意し、その窓部を介してネ−ム板の表面に損傷劣化前と同じ文字または異なる文字を表示して、損傷劣化したネ−ム板を有する古いネームホルダを廃棄すればよい。さらに、既に使用に供されていて損傷劣化の前段階にあるネ−ム板の表面に表示されている文字とは異なる文字を表示したい場合には、新しいネームホルダを用意し、その窓部を介してネ−ム板の表面に異なる文字を表示して、前記既に使用に供されていて損傷劣化の前段階にあるネ−ム板を有する古いネームホルダを廃棄すればよい。これにより、従来、懸念されていた煩雑な手間を不要にして所定の文字をネ−ム板に容易に表示することができる。
【００１３】
本考案のネームホルダは、前記ネ−ム板を、耐水性に優れ、各種筆記具による文字の表示を許容するとともに、表示文字の消滅を抑制できる特性を有する紙片によって構成することが望ましい。これによると、ネ−ム板の表面が窓部に臨むことで雨水などに触れたとしても、該ネ−ム板の損傷劣化および表示文字の消滅を抑えてネ−ム板の延命化、ひいてはネームホルダの延命化を達成することができるとともに、油性マーカ、万年筆、ボールペンあるいは鉛筆やスャープペンシルなどを含む全ての筆記具によりネ−ム板の表面に所定の文字を表示することができる。
【００１４】
本考案のネームホルダは、前記ベース部と枠部との端部に、携行物やキーなどに連結する連結部材を取付けるための連結部材取付部を設けることが望ましい。これによると、連結部材取付部に取付けた連結部材に携行用バッグなどの持ち物を装着することでネームホルダとして機能させ、連結部材取付部に取付けた連結部材にキーなを装着することでキーホルダとして機能させることができる。
【考案の効果】
【００１５】
本考案に係るネームホルダは、新規使用時におけるネ−ム板への文字表示およびネ−ム板交換時におけるネ−ム板への文字表示が煩雑な手間を要することなく容易になされるとともに、筆記具の種類による文字表示の制限を解消して使用性の向上を実現することができる。なお、本考案に係るネームホルダによれば、ネ−ム板の損傷劣化時において該損傷劣化したネ−ム板を有する古いネームホルダが廃棄されたり、ネ−ム板に表示される文字が異なるだけの理由によって損傷劣化の前段階にあるネ−ム板を有する古いネームホルダが廃棄されるが、ネ−ム板を含むネームホルダ自体のコストが低廉であることにより、経済的な損失は無視できる範囲内にとどめおくことができる。
【図面の簡単な説明】
【００１６】
【図１】本考案に係るネームホルダの一実施形態を示す斜視図である。
【図２】図１のＩＩ−ＩＩ線に沿う拡大断面図である。
【図３】図１のＩＩＩ−ＩＩＩ線に沿う拡大断面図である。
【図４】一部を破断して示す従来例の斜視図である。
【図５】図４Ｖ−Ｖ線に沿う拡大断面図である。
【考案を実施するための形態】
【実施例】
【００１７】
図１、図２および図３において、ネームホルダ１は、合成樹脂によって略長円形に成形されており、ネ−ム板２を載置するベース部３と、このベース部３の前側（図示例では上側）に対応する長方形の窓部４を形成してベース部３に一体成形された枠部５とを備え、ベース部３と枠部５との一端側に設けた隙間６からベース部３と枠部５の間に挿入されたネ−ム板２の裏面２ｃがベース部３に載置され、かつ該ネ−ム板２の周縁部２ａ以外の表面２ｂを窓部４に臨ませているとともに、前記周縁部２ａを前記隙間６およびベース部３と枠部５の間に形成した一連の溝７に挟持することでネ−ム板２を保持している。また、ベース部３と枠部５それぞれの長手方向の一端側に突設した突出部８を貫通して小さい透孔（連結部材取付部）９が設けられ、この透孔９に連結部材１０が取付られているとともに、該連結部材１０の先端部にキー１１が装着されている。したがって、本実施形態のネームホルダ１はキーホルダとして機能する。
【００１８】
前記ネ−ム板２は、耐水性に優れ、各種筆記具による文字の表示を許容するとともに、表示文字の消滅を抑制できる特性を有する紙片によって構成されている。この紙片は、たとえば、石灰石を主成分とした耐水性に優れ、かつ油性マーカ、万年筆、ボールペンあるいは鉛筆やスャープペンシルなどを含む全ての筆記具による文字１２の表示を許容するとともに、表示された文字１２の消滅を抑制できる特性を有するストーンペーパーによって構成することが好適である。
【００１９】
前記構成のネームホルダ１によれば、新規の使用に際しては、窓部４を介して前記各筆記具によりネ−ム板２の表面２ｂに文字１２を表示することができる。また、雨水などによるネ−ム板２の損傷劣化時には、図示例のネームホルダ１と同じ構成および大きさを有する新しいネームホルダ（図示省略）を別途用意し、その窓部４を介して前記各筆記具によりネ−ム板２の表面２ａに損傷劣化前と同じ文字または異なる文字を表示して、損傷劣化したネ−ム板２を有する古いネームホルダ１を廃棄すればよい。さらに、既に使用に供されていて損傷劣化の前段階にあるネ−ム板２の表面に表示されている文字１２とは異なる文字を表示したい場合には、新しいネームホルダ（図示省略）を別途用意し、その窓部４を介して前記各筆記具によりネ−ム板２の表面２ａに異なる文字を表示して、前記既に使用に供されていて損傷劣化の前段階にあるネ−ム板２を有する古いネームホルダ１を廃棄すればよい。これにより、従来、懸念されていた煩雑な手間を不要にして所定の文字をネ−ム板２の表面２ｂに前記各筆記具により容易に表示することができる。
【００２０】
また、前記ネ−ム板２は、石灰石を主成分とした耐水性に優れ、かつ油性マーカ、万年筆、ボールペンあるいは鉛筆やスャープペンシルなどを含む全ての筆記具による文字１２の表示を許容するとともに、表示された文字１２の消滅を抑制できる特性を有するストーンペーパーによって構成されているので、ネ−ム板２の表面２ａが窓部４に臨むことで雨水などに触れたとしても、該ネ−ム板２の損傷劣化および表示文字１２の消滅を抑えてネ−ム板２の延命化、ひいてはネームホルダ１の延命化を達成することができるとともに、油性マーカ、万年筆、ボールペンあるいは鉛筆やスャープペンシルなどを含む全ての筆記具によりネ−ム板２の表面２ａに所定の文字を表示することができることにより、筆記具の種類による文字表示の制限が解消されて使用性の向上を実現することができる。
【００２１】
さらに、前記実施形態のように、ベース部３と枠部５それぞれの長手方向の一端側に突設した突出部８に設けた透孔（連結部材取付部）９に連結部材１０を取付け、該連結部材１０の先端部にキー１１を装着することによって本考案に係るネームホルダ１をキーホルダとして機能させることができ、前記連結部材１０の先端部に携行用バッグなどの持ち物（図示省略）を装着することでネームホルダとして機能させることができる。
【産業上の利用可能性】
【００２２】
ベース部３と枠部５それぞれの長手方向の一端側に突設した突出部８に設けた透孔（連結部材取付部）９に連結部材１０を取付け、該連結部材１０の先端部にキー１１を装着することによってキーホルダとして機能させることができ、前記連結部材１０の先端部に携行用バッグなどの持ち物を装着することでネームホルダとして機能させることができる。
【符号の説明】
【００２３】
１  ネームホルダ
２  ネーム板
２ｂ  ネーム板の表面
２ｃ  ネーム板の裏面
３  ベース部
４  窓部
５  枠部
６  隙間
９  透孔（連結部材取付部）
１０  連結部材
１２  文字
【図１】
0003151916.tif 000003
【図２】
0003151916.tif 000004
【図３】
0003151916.tif 000005
【図４】
0003151916.tif 000006
【図５】
0003151916.tif 000007